(57)【特許請求の範囲】
【請求項１】
室内面と室外面にそれぞれ室内表面材と室外表面材が取付けられたパネル体からなり、該パネル体を貫通する開口部に取付けられる小窓を備えたドアにおいて、
前記開口部の周縁部には前記室内表面材から室外表面材に渡る窓枠材が設けられ、該窓枠材の室内側または室外側のいずれかには、面状部材を一方の面から保持する第１の保持部を有した第１の額縁が取付けられ、
前記第１の額縁が取付けられる側の室内表面材または室外表面材は前記窓枠材の見え掛かり部分に重合する第１の覆い部を有し、前記第１の額縁は、前記第１の覆い部の内周縁及び前記窓枠材の露出面を覆うと共に、前記窓枠材のうち前記第１の覆い部の内周縁より前記面状部材寄りの位置に形成される取付部に対して固定され、
前記窓枠材の前記第１の額縁と室内外反対側には、前記面状部材を前記第１の保持部と反対側の面から保持する第２の保持部が形成され、該第２の保持部が形成される側の室内表面材または室外表面材は前記窓枠材の見え掛かり部分に重合する第２の覆い部を有し、該第２の覆い部の内周縁及び前記第２の保持部の露出面を覆う第２の額縁が取付けられてなり、
前記窓枠材は前記第２の保持部と取付部とを有した枠材本体と、該枠材本体の前記第１の額縁が取付けられる側の面に取付けられ前記室内表面材または室外表面材の内側縁部が重合するアタッチ材とからなることを特徴とするドア。
【請求項２】
前記窓枠材に形成される第２の保持部は前記第２の覆い部と重合する窓枠材の室内面または室外面よりも前記面状部材寄りに形成されることを特徴とする請求項１記載のドア。
【請求項３】
前記アタッチ材は合成樹脂材からなることを特徴とする請求項１または２記載のドア。
【発明の詳細な説明】
【技術分野】
【０００１】
本発明は、建物の開口部や建物内において使用されるドアに関し、特にパネル体の開口部に小窓を設けてなるドアに関する。
【背景技術】
【０００２】
従来から、建物の玄関や勝手口などの開口部、及び建物内部において用いられる各種のドアが知られている。ドアは、室内面と室外面にそれぞれ室内表面材と室外表面材が取付けられたパネル体から構成される。また、パネル体の内部に開口部を設け、この開口部に小窓を設けたドアも知られている。このようなドアとしては、例えば特許文献１に挙げるようなものがある。特許文献１に挙げるドアでは、小窓の周縁部に設けられる額縁を細く見せて外観または内観を良好にするため、室内表面材または室外表面材の覆い部で額縁を覆うように構成している。
【特許文献１】特開２００４−５２２７１号公報
【発明の開示】
【発明が解決しようとする課題】
【０００３】
しかし、従来のドアを構成する小窓の構造は、面状部材の室内側と室外側にそれぞれ額縁を設け、室内外の額縁で面状部材を保持するものであったので、面状部材の室内外に渡って設けられる部材がなく、強度を充分に確保するのが困難であった。
【０００４】
本発明は、上記問題点を解決すべくなされたものであり、額縁を細くしつつ強度を充分に確保できる小窓を有するドアを提供することを目的とする。
【課題を解決するための手段】
【０００５】
上記課題を解決するため、本発明に係るドアは、室内面と室外面にそれぞれ室内表面材と室外表面材が取付けられたパネル体からなり、該パネル体を貫通する開口部に取付けられる小窓を備えたドアにおいて、
前記開口部の周縁部には前記室内表面材から室外表面材に渡る窓枠材が設けられ、該窓枠材の室内側または室外側のいずれかには、面状部材を一方の面から保持する第１の保持部を有した第１の額縁が取付けられ、
前記第１の額縁が取付けられる側の室内表面材または室外表面材は前記窓枠材の見え掛かり部分に重合する第１の覆い部を有し、前記第１の額縁は、前記第１の覆い部の内周縁及び前記窓枠材の露出面を覆うと共に、前記窓枠材のうち前記第１の覆い部の内周縁より前記面状部材寄りの位置に形成される取付部に対して固定され、
前記窓枠材の前記第１の額縁と室内外反対側には、前記面状部材を前記第１の保持部と反対側の面から保持する第２の保持部が形成され、該第２の保持部が形成される側の室内表面材または室外表面材は前記窓枠材の見え掛かり部分に重合する第２の覆い部を有し、該第２の覆い部の内周縁及び前記第２の保持部の露出面を覆う第２の額縁が取付けられてなり、
前記窓枠材は前記第２の保持部と取付部とを有した枠材本体と、該枠材本体の前記第１の額縁が取付けられる側の面に取付けられ前記室内表面材または室外表面材の内側縁部が重合するアタッチ材とからなることを特徴として構成されている。
【０００６】
また、本発明に係るドアは、前記窓枠材に形成される第２の保持部は前記第２の覆い部と重合する窓枠材の室内面または室外面よりも前記面状部材寄りに形成されることを特徴として構成されている。
【００１０】
また、本発明に係るドアは、前記アタッチ材は合成樹脂材からなることを特徴として構成されている。
【発明の効果】
【００１１】
本発明に係るドアによれば、窓枠材は室内表面材から室外表面材に渡って設けられ、窓枠材には面状部材の一方の面を保持する第１の保持部を有した第１の額縁が取付けられると共に、面状部材の他方の面を保持する第２の保持部が形成され、第２の保持部が形成される側の室内表面材または室外表面材は窓枠材の見え掛かり部分に重合する覆い部を有し、覆い部の内周縁及び第２の保持部の露出面を覆う第２の額縁が取付けられてなることにより、室内側から室外側に渡る窓枠材の強度が高く、小窓の強度を充分高くすることができると共に、第２の額縁の見付寸法を小さくすることができる。
【００１２】
また、本発明に係るドアによれば、窓枠材に形成される第２の保持部は第２の覆い部と重合する窓枠材の室内面または室外面よりも面状部材寄りに形成されることにより、第２の保持部側に設けられる表面材に溝が形成されていても、第２の保持部に影響を与えることなく表面材と窓枠材とを重合させることができる。
【００１３】
さらに、本発明に係るドアによれば、第１の保持部を有した第１の額縁は窓枠材の室内側部または室外側部に設けられる溝状の取付部に固定されることにより、第１の額縁を窓枠材に対して容易に固定することができる。
【００１４】
さらにまた、本発明に係るドアによれば、窓枠材は第２の保持部と取付部とを有した枠材本体と、枠材本体の第１の額縁が取付けられる側の面に取付けられ室内表面材または室外表面材の内側縁部が重合するアタッチ材とからなることにより、第１の額縁側に設けられる表面材に溝が形成されていても、アタッチ材のみを切欠加工することで表面材と窓枠材とを重合させることができる。
【００１６】
また、本発明に係るドアによれば、アタッチ材は合成樹脂材からなることにより、窓枠材と表面材との間の断熱性を確保することができる。
【発明を実施するための最良の形態】
【００１７】
本発明の実施形態について図面に沿って詳細に説明する。図１には本実施形態におけるドアの縦断面図を、図２には本実施形態におけるドアの横断面図を、それぞれ示している。これら各図に示すように、本実施形態におけるドア２は、建物に取付けられる枠体１内に納められるものであって、室内面と室外面にそれぞれ室内表面材２１と室外表面材２２が取付けられたパネル体２０からなり、パネル体２０を貫通する開口部２３には小窓３０を取付けてなるものである。
【００１８】
建物に取付けられる枠体１は、上枠１０と下枠１１及び左右の縦枠１２、１２を方形状に枠組みして構成される。枠体１を構成する各枠材は、断面中空状に形成され、またドア２は枠体１とヒンジ部１３を介して連結される。
【００１９】
パネル体２０は、上フレーム材２５と下フレーム材２６及び左右の縦フレーム材２７、２７が周縁部に設けられ、これら各フレーム材に保持されて室内面には室内表面材２１が、室外面には室外表面材２２がそれぞれ設けられる。また、室内表面材２１と室外表面材２２の間には、発泡材が充填されてパネル体２０の断熱性を確保するようにしている。
【００２０】
パネル体２０には室内表面材２１から室外表面材２２まで貫通する縦長な方形状の開口部２３が設けられており、開口部２３の周縁部には四周に渡って窓枠材３１が設けられると共に、その内部には面状部材たるガラス体３２が納められて小窓３０を構成している。本実施形態では窓枠材３１に納める面状部材としてガラス体３２を用いているが、これに限らず板材等を用いてもよい。
【００２１】
図３には、ドアを室外側から見た正面図を示している。この図に示すように、パネル体２０の一側部には把手部２４が設けられ、小窓３０はパネル体２０の中央から把手部２４寄りの位置に配置される。また、開口部２３の内周縁部には、室外額縁３６が四周に渡って設けられ、窓枠材３１の室外露出部分を覆っている。
【００２２】
また、パネル体２０の室内外の表面には、横方向に延びる３本のパネル溝２８が形成されている。パネル溝２８はパネル体２０の上下方向において略等間隔となるように配置されていて、ドア２の意匠性を向上させるために設けられる。
【００２３】
次に、小窓３０の構造についてより詳細に説明する。図４にはドアのうち小窓付近の拡大縦断面図を、図５にはドアのうち小窓付近の拡大横断面図を、それぞれ示している。図４及び図５に示すように、小窓３０の窓枠材３１は、金属材からなる上窓枠４０と下窓枠４１及び左右の縦窓枠４２、４２とを方形状に枠組みして構成されており、これらがパネル体２０の開口部２３の周縁部に取付けられている。窓枠材３１はいずれも、パネル体２０の室内外方向において室内表面材２１から室外表面材２２に渡るように形成されており、その室内側に室内額縁３５を、室外側に室外額縁３６を、それぞれ取付ける構成とされている。
【００２４】
図４に示すように、上窓枠４０の室内側部には溝状の取付部４４が形成されており、この取付部４４に対して樹脂材からなる室内額縁３５がネジ止め固定される。下窓枠４１も同様に室内側部に溝状の取付部４４が形成され、この取付部４４に対して室内額縁３５がネジ止め固定される。室内額縁３５は、窓枠材３１に固定される基部３５ａと、基部３５ａの室内面を覆うように設けられるカバー部３５ｂとの二部材から構成されており、カバー部３５ｂは基部３５ａに対して係合固定される。
【００２５】
また、室内額縁３５は窓枠材３１の室内面外周端部近傍から見付方向内側に向かって延び、ガラス体３２を室内面から保持する室内保持部３７を有している。室内保持部３７の室外面先端部には気密材３７ａが設けられ、これがガラス体３２の室内面に当接し、ガラス体３２の室内面を保持すると共に、気密性及び水密性を確保している。
【００２６】
一方、上窓枠４０の室外側部は見付方向内側に向かって延び、ガラス体３２を室外面から保持する室外保持部４３として形成されている。下窓枠４１も同様に室外側部が見付方向内側に向かって延び、ガラス体３２を室外面から保持する室外保持部４３として形成されている。室外保持部４３の室内面先端部には気密材４３ａが設けられ、これがガラス体３２の室外面に当接し、ガラス体３２の室外面を保持すると共に、気密性及び水密性を確保している。
【００２７】
パネル体２０を構成する室内表面材２１は、上窓枠４０の室内面のうち、取付部４４よりも外側部分と重合する室内側覆い部２１ａを有しており、上窓枠４０の室内面が室内側に露出しないようにしている。また、室内額縁３５は室内側覆い部２１ａの内周縁を覆っている。すなわち室内側から見たときに、室内表面材２１と室内額縁３５とが連続状となるような納まりとされている。なお、室内表面材２１と上窓枠４０の室内面は、接着により固定されている。下窓枠４１についても同様の構成とされている。
【００２８】
室外表面材２２も、上窓枠４０の室外面のうち、室外保持部４３より外側部分と重合する室外側覆い部２２ａを有しており、上窓枠４０の見え掛かり部分を覆って上窓枠４０の室外面が室外側に露出しないようにしている。なお、室外表面材２２と上窓枠４０の室外面は、接着により固定されている。下窓枠４１についても同様の構成とされている。
【００２９】
上窓枠４０の室外面にはさらに、金属材からなる室外額縁３６が取付けられる。室外額縁３６は、粘着テープ３８によって上窓枠４０の室外面に固定されており、室外側覆い部２２ａの内周縁及び室外保持部４３の室外側露出面を覆うように設けられている。室外表面材２２の室外側覆い部２２ａは、室内表面材２１の室内側覆い部２１ａよりも、見付方向内側まで延出されているので、室外額縁３６の外周端面は室内額縁３５より見付方向内側に位置している。すなわち、室外額縁３６は室内額縁３５よりも見付方向幅が小さくなるように形成されており、これによって室外側からドア２を見た場合における意匠性を良好なものとしている。また、下窓枠４１についても同様の構成とされている。
【００３０】
縦窓枠４２についても概ね同様の構成からなっている。図５に示すように、縦窓枠４２の室内側部には取付部４４が形成され、この取付部４４に対して室内額縁３５がネジ止め固定される。室内額縁３５は室内保持部３７を有し、これによってガラス体３２を室内面から保持する。一方、縦窓枠４２の室外側部には室外保持部４３が形成され、これによってガラス体３２を室外面から保持する。
【００３１】
ここで、縦窓枠４２は枠材本体４５とアタッチ材４６の二部材から構成されている。枠材本体４５は、室外保持部４３及び取付部４４を有しており、縦窓枠４２の室外側部分を構成している。一方、アタッチ材４６は枠材本体４５の室内面に係合固定されるものであって、縦窓枠４２のうち室内表面材２１の室内側覆い部２１ａと重合する室内面部分を構成している。
【００３２】
枠材本体４５の取付部４４は、アタッチ材４６が構成する室内表面材２１との重合面よりもガラス体３２寄りとなるように設けられている。すなわち、取付部４４は室内表面材２１の表面よりも引っ込んだ位置に配置されている。前述のように室内表面材２１には横方向にパネル溝２８が形成されているが、取付部４４の位置はパネル溝２８の底面２８ａよりさらにガラス体３２寄りとなっているので、パネル溝２８の位置においてはアタッチ材４６を設けないようにするだけで、枠材本体４５の室内側において切欠等の形成を不要とすることができる。このため、容易にパネル溝２８を有した室内表面材２１の納まりを確保することができる。
【００３３】
枠材本体４５の室外側については、室外保持部４３を室外表面材２２との重合面よりもガラス体３２寄りとなるように設けている。これによって、室外表面材２２のパネル溝２８の位置においては、枠材本体４５の室外表面材２２との重合面のみを切欠加工することで、枠材本体４５と室外表面材２２とが干渉しないようにすることができ、気密材４３ａを長手方向に沿って保持する室外保持部４３については、切欠等の形成を不要とすることができるので、ガラス体３２の保持とパネル溝２８を有した室外表面材２２の納まりとを両立させることができる。
【００３４】
また、室内表面材２１と重合するアタッチ材４６は、樹脂材からなることにより、縦窓枠４２の金属部分が室内表面材２１と接触することがなく、断熱性も充分に確保することができる。
【００３５】
本実施形態では、図４に示す上窓枠４０と下窓枠４１については一部材で構成し、図５に示す縦窓枠４２については二部材で構成すると共に、アタッチ材４６は樹脂材により形成している。図３に示すように小窓３０は横方向が短く縦方向が長い長方形状に形成されているので、小窓３０の長い辺を構成する縦窓枠４２についてアタッチ材４６により断熱性を確保できるようにしている。また、室内表面材２１のパネル溝２８は、横方向に形成されていることにより、縦窓枠４２のみがそれを納める構成を有していればよく、したがって縦窓枠４２のみを二部材で構成するようにしている。
【００３６】
ただし、縦横の組合せはドア２のデザインに応じて様々に設定されうる。例えば、小窓３０を横方向に長い長方形状に形成する場合には、上窓枠４０及び下窓枠４１を枠材本体４５とアタッチ材４６の二部材で構成することもできる。また、室内表面材２１や室外表面材２２のパネル溝２８も、縦方向に形成することもでき、その場合にはパネル溝２８の納まりのために上窓枠４０及び下窓枠４１を二部材で構成することもできる。さらには、窓枠材３１を構成する全ての枠材について二部材で構成してもよい。
【００３７】
図６には、窓枠材３１の分解正面図を示している。縦窓枠４２は、図３にも示すようにパネル体２０の上下方向略全長に渡る長さに形成される。また、上端部より中央寄りの位置と下端部より中央寄りの位置にそれぞれ枠連結部４２ａが形成され、ここに上窓枠４０と下窓枠４１の両端部が飲み込まれ、ネジ止めにより連結される。また、縦窓枠４２には長手方向３箇所に、室外表面材２２に形成される３本のパネル溝２８の位置に合わせて切欠部４２ｂが形成される。切欠部４２ｂは、前述のとおり室外表面材２２との重合面が切り欠かれるものであって、それよりガラス体３２側に配置される室外保持部４３については切欠加工はなされていない。
【００３８】
図７にはアタッチ材４６の正面図を示している。アタッチ材４６は、前述のように縦窓枠４２を構成する枠材本体４５の室内側に取付けられるものであって、樹脂材により形成されている。また、室内表面材２１に形成される３本のパネル溝２８の位置に合わせて切断され、隙間が設けられており、室内表面材２１のパネル溝２８部分を納めることができるようにされている。
【００３９】
図８には室内額縁３５を構成する基部３５ａの分解正面図を示している。基部３５ａは、上基部材５０と下基部材５１及び左右の縦基部材５２、５２とからなっており、各部材の端面はそれぞれ直角状に切断されている。また、基部３５ａのコーナー部分は基部連結部材５３によって連結される。
【００４０】
図９には室内額縁３５を構成するカバー部３５ｂの分解正面図を示している。カバー部３５ｂは、上カバー部材５５と下カバー部材５６及び左右の縦カバー部材５７、５７とからなっており、各部材の端面は斜め４５度に切断されてそれぞれ部材の端面を付き合わせることができるようにされている。また、カバー部３５ｂのコーナー部分はカバー部連結部材５８によって連結される。このように室内側に露出するカバー部３５ｂについては、各部材の端面を斜め４５度に切断して端面同士を突き合わせるようにしているので、ドア２の内観を向上させることができる。
【００４１】
図１０には室外額縁３６の分解正面図を示している。室外額縁３６は、上額縁材６０と下額縁材６１及び左右の縦額縁材６２、６２とからなっており、各部材の端面は斜め４５度に切断されてそれぞれ部材の端面を付き合わせることができるようにされている。室外額縁３６は、室外側に直接露出するので、このように端面を構成することにより、ドア２の外観を向上させることができる。また各部材は、額縁連結部材６３によって連結される。
【００４２】
以上、本発明の実施形態について説明したが、本発明の適用は本実施形態には限られず、その技術的思想の範囲内において様々に適用されうるものである。例えば、小窓３０の構成は室内外を反転させてもよい。すなわち、室内表面材２１から室外表面材２２に渡る窓枠材３１の室外側には、ガラス体３２を室外面から保持する室外保持部４３を有した室外額縁３６を取付け、窓枠材３１の室内側にはガラス体３２を室内面から保持する室内保持部３７を形成し、室内表面材２１の覆い部２１ａは窓枠材３１の室内側面における見え掛かり部分を覆うと共に、覆い部２１ａの内周縁及び室内保持部３７の室内面を覆うように室内額縁３５を取付けて構成することもできる。
【図面の簡単な説明】
【００４３】
【図１】本実施形態におけるドアの縦断面図である。
【図２】本実施形態におけるドアの横断面図である。
【図３】ドアを室外側から見た正面図である。
【図４】図１の小窓付近拡大断面図である。
【図５】図２の小窓付近拡大断面図である。
【図６】窓枠材の分解正面図である。
【図７】アタッチ材の正面図である。
【図８】室内額縁を構成する基部の分解正面図である。
【図９】室内額縁を構成するカバー部の分解正面図である。
【図１０】室外額縁の分解正面図である。
【符号の説明】
【００４４】
１    枠体
２    ドア
２０    パネル体
２１    室内表面材
２１ａ  室内側覆い部
２２    室外表面材
２２ａ  室外側覆い部
２３    開口部
３０    小窓
３１    窓枠材
３２    ガラス体
３５    室内額縁
３６    室外額縁
３７    室内保持部
４３    室外保持部
４４    取付部
４５    枠材本体
４６    アタッチ材
【図１】
0004836641.tif 000002
【図２】
0004836641.tif 000003
【図３】
0004836641.tif 000004
【図４】
0004836641.tif 000005
【図５】
0004836641.tif 000006
【図６】
0004836641.tif 000007
【図７】
0004836641.tif 000008
【図８】
0004836641.tif 000009
【図９】
0004836641.tif 000010
【図１０】
0004836641.tif 000011